(57)【特許請求の範囲】
【請求項１】
入浴者をその足及び胸の位置する側を定めて横臥した状態で支持する支持体と、該支持体を覆うシャワー室と、該シャワー室に上記支持体の長手方向に沿って列設され温湯供給部から供給される温湯を上記支持体に向けて噴射する複数のシャワーノズルとを備えたシャワー式入浴装置において、
上記シャワーノズルの温湯の噴射が、上記温湯供給部から供給される温湯の全流量が一定になるようにかつ入浴者に対しその足側から胸側に掛けて順に行なわれるように制御する噴射制御手段を設け、
上記噴射制御手段を、上記複数のシャワーノズルに対峙し各シャワーノズルから噴射される温湯を受けて遮断する受け部材と、上記シャワーノズル及び上記受け部材を列設方向に相対的に移動させる移動機構と、上記受け部材に上記各シャワーノズルに対応して設けられ上記シャワーノズル及び上記受け部材の相対的な移動に従って足側のシャワーノズルから胸側のシャワーノズルに掛けて順次温湯の噴射を通過させる複数の噴射開口とを備えて構成したことを特徴とするシャワー式入浴装置。
【請求項２】
上記受け部材を受け壁及び受け壁の周囲に立設された側壁を備えて箱形に形成するとともに、上記各シャワーノズルに対応して上記受け壁をノズル側に膨出させて形成され上記側壁と同様に受け壁から立設される膨出壁を有した膨出部を設け、上記噴射開口を上記膨出部の上部に形成したことを特徴とする請求項１記載のシャワー式入浴装置。
【請求項３】
上記受け部材に受け壁に遮断されて溜る温湯を排水するドレン配管を設けたことを特徴とする請求項２記載のシャワー式入浴装置。
【請求項４】
上記移動機構を、上記複数のシャワーノズルからなるノズル群を上記シャワー室に対して移動可能に支持し、該ノズル群を該シャワーノズルの列設方向に往復動させる駆動部を備えて構成したことを特徴とする請求項１，２または３記載のシャワー式入浴装置。
【請求項５】
上記移動機構を、上記受け部材を上記シャワー室に対して移動可能に支持し、該受け部材を上記シャワーノズルの列設方向に往復動させる駆動部を備えて構成したことを特徴とする請求項１，２または３記載のシャワー式入浴装置。
【請求項６】
上記駆動部を、上記シャワーノズルから噴射される温湯を供給する配管から分岐された配管に接続され該分岐された配管に流れる温湯で作動するシリンダ装置で構成したことを特徴とする請求項４または５記載のシャワー式入浴装置。
【請求項７】
入浴者をその足及び胸の位置する側を定めて横臥した状態で支持する支持体と、該支持体を覆うシャワー室と、該シャワー室に上記支持体の長手方向に沿って列設され温湯供給部から供給される温湯を上記支持体に向けて噴射する複数のシャワーノズルとを備えたシャワー式入浴装置において、
上記シャワーノズルの温湯の噴射が、上記温湯供給部から供給される温湯の全流量が一定になるようにかつ入浴者に対しその足側から胸側に掛けて順に行なわれるように制御する噴射制御手段を設け、
上記噴射制御手段を、上記複数のシャワーノズルに対峙し各シャワーノズルから噴射される温湯を受けて遮断する受け部材と、該受け部材に上記各シャワーノズルに対応して設けられ該受け部材への温湯の噴射を通過させる複数の噴射開口と、該各噴射開口に夫々設けられ駆動されて該各噴射口を開閉するシャッタと、該各シャッタを上記足側のシャワーノズルに対応する噴射開口から胸側のシャワーノズルに対応する噴射開口に掛けて順に開くよう駆動するシャッタ駆動制御部とを備えて構成したことを特徴とするシャワー式入浴装置。
【請求項８】
入浴者をその足及び胸の位置する側を定めて横臥した状態で支持する支持体と、該支持体を覆うシャワー室と、該シャワー室に上記支持体の長手方向に沿って列設され温湯供給部から供給される温湯を上記支持体に向けて噴射する複数のシャワーノズルとを備えたシャワー式入浴装置において、
上記シャワーノズルの温湯の噴射が、上記温湯供給部から供給される温湯の全流量が一定になるようにかつ入浴者に対しその足側から胸側に掛けて順に行なわれるように制御する噴射制御手段を設け、
上記噴射制御手段を、上記複数のシャワーノズルを覆い各シャワーノズルから噴射される温湯を受けて遮断するとともに足側に対応するシャワーノズルから順次開放するように伸縮移動する袋体と、該袋体に設けられ該袋体に遮断されて溜る温湯を排水するドレン配管と、上記袋体を伸縮移動させる袋体駆動部とを備えて構成したことを特徴とするシャワー式入浴装置。
【請求項９】
上記温湯供給部を、温湯を供給する給湯ポンプと、水を供給する給水ポンプと、給湯ポンプからの温湯に給水ポンプからの水を混合して温湯の温度調整を行なうミキサとを有して構成したことを特徴とする請求項１，２，３，４，５，６，７または８記載のシャワー式入浴装置。
【請求項１０】
上記シャワー室の上部に上記支持体の長手方向に沿って列設され上記温湯供給部から供給される温湯を上記支持体に向けて噴射する複数のシャワーノズルからなる上部ノズル群と、上記シャワー室の下部に上記支持体の長手方向に沿って列設され上記温湯供給部から供給される温湯を上記支持体に向けて噴射する複数のシャワーノズルからなる下部ノズル群とを備え、上記噴射制御手段を上記上部ノズル群及び下部ノズル群に夫々設けたことを特徴とする請求項１，２，３，４，５，６，７，８または９記載のシャワー式入浴装置。
【発明の詳細な説明】
【０００１】
【発明の属する技術分野】
本発明は、主に介護が必要な老人や病人等の入浴者を支持体に横臥させ上下からシャワーを浴びせて入浴させるシャワー式入浴装置に関する。
【０００２】
【従来の技術】
従来、この種のシャワー式入浴装置としては、例えば、特開平６−１８１９６４号公報に掲載されているものが知られている。これは、図１８及び図１９に示すように、入浴者をその足及び胸の位置する側を定めて横臥した状態で支持するとともにキャスタ２で移動可能な脚部３を有したネット状の支持体１と、キャスタ２で移動させられた支持体１が前側から収納可能にする開閉扉４及び開閉扉４を開閉可能に支持する浴槽５を有し収納された支持体１を覆うシャワー室６と、シャワー室６の上部に支持体１の長手方向に沿って列設され温湯供給部１０から供給される温湯を支持体１に向けて噴射する複数のシャワーノズルＮからなる上部ノズル群７と、シャワー室６の下部に支持体１の長手方向に沿って列設され温湯供給部１０から供給される温湯を支持体１に向けて噴射する複数のシャワーノズルＮからなる下部ノズル群８とを備えている。温湯供給部１０は、温湯を供給する給湯ポンプ１１と、水を供給する給水ポンプ１２と、給湯ポンプ１１からの温湯に給水ポンプ１２からの水を混合して温湯の温度調整を行なうミキサ１３とを有して構成されている。
そして、各シャワーノズルＮは、ミキサ１３からの配管に電磁バルブ９を介して平行に接続されており、入浴時において、始動時には、シャワーノズルＮの噴射が入浴者に対しその足側から胸側に掛けて順に行なわれるように図示外の制御部による各シャワーノズルＮの電磁バルブ９の開動作により制御される。そのため、いきなり湯が全身に浴びせられるのではなく、足から胸へと徐々に浴びせられることから、入浴者が驚くことなく湯に馴染むことができるようにしている。そして、定常時には、上下のノズル群７，８全部から温湯を噴射して、入浴者に温湯を浴びせるようにしている。
【０００３】
【発明が解決しようとする課題】
ところで、このような従来のシャワー式入浴装置にあっては、始動時には、シャワーノズルＮの噴射が入浴者に対しその足側から胸側に掛けて順に行なわれるように各シャワーノズルＮの電磁バルブ９を順に開にするようにしているが、電磁バルブ９が順に開くことから配管抵抗が徐々に変化することになり、そのため、ミキサ１３に至る給湯ポンプ１１及び給水ポンプ１２からの流量がこの配管抵抗の変化によって変化し、そのため、ミキサ１３通過後の温湯の温度が変動してしまい、このため、入浴者に不快感を与えてしまうという問題があった。特に温度変動が大きいと、熱い湯が浴びせられたり冷たい水が浴びせられることもあり、不快感が大きくなってしまう。
【０００４】
この不快感について詳しく説明する。
先ず、この種のシャワー式入浴装置においては、入浴感（入浴満足度）を向上させるためシャワーにはマッサージ効果が求められ、普通のハンドシャワーと異なり大きい（荒い）粒子状のシャワーであることが要求される。粒子状シャワーである場合、物理的にマッサージ効果があるだけでなく、実際に熱移動量も多い事が理論的に証明されている。
即ち、シャワー粒子の運動エネルギーにより皮膚表面温度遷移層（境界層あるいは境界膜とも言う）が薄くなる為に、熱移動量（熱流束）も多くなる。その分、シャワー入浴時には湯温の変化も、より敏感に感知することになる。
従って、足元から順にシャワー範囲を広げていった場合、その間の温度が安定しているかどうかが、入浴者に快・不快を大きく左右する要因となってくる。
【０００５】
本発明は上記の問題点に鑑みて為されたもので、温度変動がほとんど生じることなく、適温の温湯が入浴者の足下から順次浴びせられるようにして、入浴者に精神的，身体的な不快感をほとんど感じさせないようにし、機能の向上を図ったシャワー式入浴装置を提供することを目的とする。
【０００６】
【課題を解決するための手段】
このような目的を達成するため、本発明のシャワー式入浴装置は、入浴者をその足及び胸の位置する側を定めて横臥した状態で支持する支持体と、該支持体を覆うシャワー室と、該シャワー室に上記支持体の長手方向に沿って列設され温湯供給部から供給される温湯を上記支持体に向けて噴射する複数のシャワーノズルとを備えたシャワー式入浴装置において、上記シャワーノズルの温湯の噴射が、上記温湯供給部から供給される温湯の全流量が一定になるようにかつ入浴者に対しその足側から胸側に掛けて順に行なわれるように制御する噴射制御手段を設けた構成としている。
これにより、入浴を行なうときは、入浴者が支持体に横臥し、先ず、噴射制御手段によりシャワーノズルからの噴射を行なう。この場合、シャワーノズルの温湯の噴射が入浴者に対しその足側から胸側に掛けて順に行なわれ、足側から胸側に掛けて順に温湯が入浴者に浴びせられる。そのため、入浴者にはいきなり全身に温湯が浴びせられるのではなく、足から胸へと徐々に浴びせられることから、入浴者が驚くことなく湯に馴染むことができるようになる。しかも、温湯供給部から供給される温湯の全流量が一定になるように各シャワーノズルから噴射が行なわれるので、温湯の温度の変動が抑制され、入浴者に温度変動による不快感を与えてしまう事態が防止される。即ち、粒子状シャワーにおいては、湯温の変化が通常のバスタブ式の入浴に比較してより敏感に感知されるが、温度変化が抑制されるので、入浴者に精神的，身体的な不快感をほとんど感じさせないことになり、機能の向上が大幅に図られる。
【０００７】
そして、上記噴射制御手段を、上記複数のシャワーノズルに対峙し各シャワーノズルから噴射される温湯を受けて遮断する受け部材と、上記シャワーノズル及び上記受け部材を列設方向に相対的に移動させる移動機構と、上記受け部材に上記各シャワーノズルに対応して設けられ上記シャワーノズル及び上記受け部材の相対的な移動に従って足側のシャワーノズルから胸側のシャワーノズルに掛けて順次温湯の噴射を通過させる複数の噴射開口とを備えて構成している。これにより、シャワーノズル及び受け部材の相対的な移動に従って足側のシャワーノズルから順に受け部材の噴射開口を通して温湯が噴射され、足側から胸側に掛けて順に温湯が入浴者に浴びせられる。この場合、各シャワーノズルからは常時温湯の噴射が行なわれていることから、温湯の全流量が略一定になっており、そのため、温湯の流量が変化することがなくなり、温湯の温度の変動が抑制され、入浴者に温度変動による不快感を与えてしまう事態が防止される。
【０００８】
この場合、必要に応じ、上記受け部材を受け壁及び受け壁の周囲に立設された側壁を備えて箱形に形成するとともに、上記各シャワーノズルに対応して上記受け壁をノズル側に膨出させて形成され上記側壁と同様に受け壁から立設される膨出壁を有した膨出部を設け、上記噴射開口を上記膨出部の上部に形成したことが有効である。噴射開口がこの膨出部の上部に形成されているので、溜った温湯を噴射開口から漏れにくくすることができることから、不用意に入浴者に温湯を浴びせて不快にする事態が防止される。
また、必要に応じ、上記受け部材に受け壁に遮断されて溜る温湯を排水するドレン配管を設けた構成としている。受け部に溜った温湯を確実に配水できる。
更に、必要に応じ、上記移動機構を、上記複数のシャワーノズルからなるノズル群を上記シャワー室に対して移動可能に支持し、該ノズル群を該シャワーノズルの列設方向に往復動させる駆動部を備えて構成している。
更にまた、必要に応じ、上記移動機構を、上記受け部材を上記シャワー室に対して移動可能に支持し、該受け部材を上記シャワーノズルの列設方向に往復動させる駆動部を備えて構成している。
この場合、必要に応じ、上記駆動部を、上記シャワーノズルから噴射される温湯を供給する配管から分岐された配管に接続され該分岐された配管に流れる温湯で作動するシリンダ装置で構成している。温湯を利用して駆動できるので、構造を簡易にすることができる。
【０００９】
そしてまた、必要に応じ、上記噴射制御手段を、上記複数のシャワーノズルに対峙し各シャワーノズルから噴射される温湯を受けて遮断する受け部材と、該受け部材に上記各シャワーノズルに対応して設けられ該受け部材への温湯の噴射を通過させる複数の噴射開口と、該各噴射開口に夫々設けられ駆動されて該各噴射口を開閉するシャッタと、該各シャッタを上記足側のシャワーノズルに対応する噴射開口から胸側のシャワーノズルに対応する噴射開口に掛けて順に開くよう駆動するシャッタ駆動制御部とを備えて構成している。各シャワーノズルからは常時温湯の噴射が行なわれていることから、温湯の全流量が略一定になっており、そのため、温湯の流量が変化することがなくなり、温湯の温度の変動が抑制され、入浴者に温度変動による不快感を与えてしまう事態が防止される。
【００１０】
ここで、本発明の開発過程で提案された噴射制御手段を参考のために示すと、上記噴射制御手段を、上記温湯供給部から供給される温湯の配管径路に供給口が接続され各シャワーノズルの配管に個別に接続される吐出口及び温湯を逃がすドレン配管に個別に接続される排出口を有する本体を有するとともに、上記各シャワーノズルに接続された各吐出口を足側のシャワーノズルに対応する吐出口から胸側のシャワーノズルに対応する吐出口に掛けて順に開きかつドレン配管に接続された排出口を徐々に閉じる開閉弁を有した制御バルブを備えて構成している。開閉弁により、吐出口及び排出口の開閉状態のバランスによって温湯の流量が略一定になっており、そのため、温湯の全流量が変化することがなくなり、温湯の温度の変動が抑制され、入浴者に温度変動による不快感を与えてしまう事態が防止される。
【００１１】
更に、本発明の開発過程で提案された別の噴射制御手段を参考のために示すと、上記噴射制御手段を、上記各シャワーノズルの配管に個別に配管され供給される温湯を逃がすドレン位置及び温湯をシャワーノズルに供給する供給位置の２位置に切換えられる電磁切換弁を設け、該各電磁切換弁を足側のシャワーノズルに対応する電磁切換弁から胸側のシャワーノズルに対応する電磁切換弁に掛けて順にドレン位置から供給位置に切換える制御部を備えて構成している。温湯は電磁切換弁のドレン位置で排出されるか供給位置でシャワーノズルから噴射されるかのいずれかなので、温湯の全流量が略一定になっており、そのため、温湯の全流量が変化することがなくなり、温湯の温度の変動が抑制され、入浴者に温度変動による不快感を与えてしまう事態が防止される。
【００１２】
更にまた、本発明の開発過程で提案されたまた別の噴射制御手段を参考のために示すと、上記噴射制御手段を、上記シャワーノズルの列設方向に進退動可能な進退パイプを設け、該進退パイプの後退時に上記各シャワーノズルが入浴者の足側から離間し進出時に先端のシャワーノズルから順に入浴者の足側から胸側に掛けて順に対峙するように上記各シャワーノズルを進退パイプに列設して構成している。進退パイプの進出により、常時シャワーノズルから温湯が噴射されながら、足側から胸側に徐々にシャワーの当たる範囲が拡大していくので、温湯の全流量が略一定になっており、そのため、温湯の流量が変化することがなくなり、温湯の温度の変動が抑制され、入浴者に温度変動による不快感を与えてしまう事態が防止される。
【００１３】
また、必要に応じ、上記噴射制御手段を、上記複数のシャワーノズルを覆い各シャワーノズルから噴射される温湯を受けて遮断するとともに足側に対応するシャワーノズルから順次開放するように伸縮移動する袋体と、該袋体に設けられ該袋体に遮断されて溜る温湯を排水するドレン配管と、上記袋体を伸縮移動させる袋体駆動部とを備えて構成している。袋体が足側に対応するシャワーノズルから順次開放するように伸縮移動するので、常時シャワーノズルから温湯が噴射されることになり、温湯の全流量が略一定になることから、そのため、温湯の流量が変化することがなくなり、温湯の温度の変動が抑制され、入浴者に温度変動による不快感を与えてしまう事態が防止される。
【００１４】
更に、必要に応じ、上記温湯供給部を、温湯を供給する給湯ポンプと、水を供給する給水ポンプと、給湯ポンプからの温湯に給水ポンプからの水を混合して温湯の温度調整を行なうミキサとを有して構成している。
更にまた、必要に応じ、上記シャワー室の上部に上記支持体の長手方向に沿って列設され上記温湯供給部から供給される温湯を上記支持体に向けて噴射する複数のシャワーノズルからなる上部ノズル群と、上記シャワー室の下部に上記支持体の長手方向に沿って列設され上記温湯供給部から供給される温湯を上記支持体に向けて噴射する複数のシャワーノズルからなる下部ノズル群とを備え、上記噴射制御手段を上記上部ノズル群及び下部ノズル群に夫々設けた構成としている。各ノズル群での制御が確実になる。
【００１５】
【発明の実施の形態】
以下、添付図面に基づいて、本発明の実施の形態に係るシャワー式入浴装置にいて詳細に説明する。尚、上記と同様のものには同一の符号を付して説明する。図１乃至図９には、本発明の第一の実施の形態に係るシャワー式入浴装置を示している。
第一の実施の形態に係るシャワー式入浴装置は、図１乃至図３に示すように、入浴者をその足及び胸の位置する側を定めて横臥した状態で支持するネット状の支持体１と、支持体１を支持する浴槽５及び浴槽５の一端に開閉可能に設けられ開時に入浴者の頭が出た状態で入浴者とともに支持体１を覆う開閉蓋４を有したシャワー室６と、シャワー室６の開閉蓋４上部にその閉時に支持体１の長手方向に沿って列設され温湯供給部１０から供給される温湯を支持体１に向けて噴射する複数のシャワーノズルＮからなる上部ノズル群７と、シャワー室６の浴槽５に支持体１の長手方向に沿って列設され温湯供給部１０から供給される温湯を支持体１に向けて噴射する複数のシャワーノズルＮからなる下部ノズル群８とを備えている。図１中開閉蓋４を開閉可能に回動支持する浴槽５の一端５ａが足側、浴槽５の他端５ｂ側が胸側になる。
【００１６】
上部ノズル群７は、図４及び図５に示すように、所定の間隔で配置された５つのシャワーノズルＮの列を左右に備えるとともに、シャワーノズルＮの列の足側から３つ目のシャワーノズルＮと４つ目のシャワーノズルＮの間には、中央に１つのシャワーノズルＮ（ａ）を備えて構成され、各シャワーノズルＮは温湯供給部１０からの上部配管７ａに接続されている。
下部ノズル群８は、図６及び図７に示すように、所定の間隔で配置された３つのシャワーノズルＮの列を左右に備えるとともに、シャワーノズルＮの列の足側から１つ目のシャワーノズルＮと２つ目のシャワーノズルＮの間には、中央に１つのシャワーノズルＮ（ｂ）を備えて構成され、シャワーノズルＮの列の足側から２つ目のシャワーノズルＮと３つ目のシャワーノズルＮの間には、中央に１つのシャワーノズルＮ（ｃ）を備えて構成され、各シャワーノズルＮは温湯供給部１０からの下部配管８ａに接続されている。
【００１７】
温湯供給部１０は、図８に示すように、温湯を供給する給湯ポンプ１１と、水を供給する給水ポンプ１２と、給湯ポンプ１１からの温湯に給水ポンプ１２からの水を混合して温湯の温度調整を行なうミキサ１３と、ミキサ１３からの温湯を送り出す加圧ポンプ１４とを有して構成されている。図８中、Ｖ1 は加圧ポンプ１４の後流の電磁バルブ、Ｖ7 は電磁バルブＶ1 後流に設けられた上部配管７ａ及び下部配管８ａの手動のドレンバルブ、Ｎｆは上部配管７ａ及び下部配管８ａの分岐部に設けられ足裏に噴射する足裏シャワーノズル、Ｖ2 は足裏シャワーノズルＮｆの開閉用電磁バルブである。また、１５は給湯ポンプ１１からの配管に設けられた減圧器、１６は圧力計、１７は温度計、１８は給水ポンプ１２からの配管に設けられた減圧器、１９は圧力計、２０は電磁バルブＶ1 後流に設けられた温度計、２１はミキサ１３と加圧ポンプ１４の間の減圧器である。
【００１８】
そして、図１，図２，図４乃至図９に示すように、実施の形態に係るシャワー式入浴装置には、シャワーノズルＮの温湯の噴射が、温湯供給部１０から供給される温湯の全流量が一定になるようにかつ入浴者に対しその足側から胸側に掛けて順に行なわれるように制御する噴射制御手段Ｆが設けられている。噴射制御手段Ｆは、上部ノズル群７及び下部ノズル群８に夫々設けられている。
上部ノズル群７の噴射制御手段Ｆは、複数のシャワーノズルＮに対峙し各シャワーノズルＮから噴射される温湯を受けて遮断する受け部材３０と、シャワーノズルＮ及び受け部材３０を列設方向に相対的に移動させる移動機構４０と、受け部材３０に各シャワーノズルＮに対応して設けられ移動機構４０によるシャワーノズルＮ及び受け部材３０の相対的な移動に従って足側のシャワーノズルＮから胸側のシャワーノズルＮに掛けて順次受け部材３０への温湯の噴射を通過させる複数の噴射開口３１とを備えて構成されている。噴射開口３１は、長穴でありその長さが足側から順に長いものから短いものに形成されている。図９（ａ）に示すように、当初は受け部材３０で噴射開口３１からの噴射を遮断し、図９（ｂ）乃至図９（ｅ）に示すように、受け部材３０のシャワーノズルＮに対する相対的移動により、足側のシャワーノズルＮから胸側のシャワーノズルＮに掛けて順次温湯の噴射を噴射開口３１から通過させる。
受け部材３０は、受け壁３２及び受け壁３２の周囲に立設された側壁３３を備えて箱形に形成されている。受け壁３２には、各シャワーノズルＮに対応して、ノズル側に膨出させて形成され側壁３３と同様に受け壁３２から立設される膨出壁３４を有した膨出部３５が設けられている。噴射開口３１は、膨出部３５の上部に形成されている。
また、図８に示すように、受け部材３０には、受け壁３２に遮断されて溜る温湯を排水するドレン配管３６が設けられている。
【００１９】
下部ノズル群８の噴射制御手段Ｆは、複数のシャワーノズルＮに対峙し各シャワーノズルＮから噴射される温湯を受けて遮断する受け部材３０と、シャワーノズルＮ及び受け部材３０をシャワーノズルＮの列設方向に相対的に移動させる移動機構４０と、受け部材３０に各シャワーノズルＮに対応して設けられ移動機構４０によるシャワーノズルＮ及び受け部材３０の相対的な移動に従って足側のシャワーノズルＮから胸側のシャワーノズルＮに掛けて順次受け部材３０への温湯の噴射を通過させる複数の噴射開口３１とを備えて構成されている。図９（ａ）に示すように、当初は受け部材３０で噴射開口３１からの噴射を遮断し、図９（ｂ）乃至図９（ｅ）に示すように、受け部材３０のシャワーノズルＮに対する相対的移動により、足側のシャワーノズルＮから胸側のシャワーノズルＮに掛けて順次温湯の噴射を噴射開口３１から通過させる。
受け部材３０は、受け壁３２及び受け壁３２の周囲に立設された側壁３３を備えて箱形に形成されている。受け壁３２には、各シャワーノズルＮに対応して、支持体１側に凹む凹所３７が設けられている。噴射開口３１は、凹所３７の底部に形成されている。
【００２０】
移動機構４０は、複数のシャワーノズルＮからなるノズル群をシャワー室６に対して移動可能に支持し、ノズル群をシャワーノズルＮの列設方向に往復動させる駆動部４１を備えて構成されている。詳しくは、上部ノズル群７の上部配管７ａを開閉蓋４に例えばレール（図示せず）で移動可能に支持し、下部ノズル群８の下部配管８ａを浴槽５に例えばレール（図示せず）で移動可能に支持し、駆動部４１で往復動させるように構成されている。
駆動部４１は、図４，図６及び図８に示すように、シャワーノズルＮから噴射される温湯を供給する配管から分岐された配管に接続され分岐された配管に流れる温湯で作動するピストン４２及びシリンダ４３を有したシリンダ装置４４で構成されている。上部ノズル群７の噴射制御手段Ｆのシリンダ装置４４は、ピストン４２が上部配管７ａに固定され、シリンダ４３が開閉蓋４に固定されている。一方、下部ノズル群８の噴射制御手段Ｆのシリンダ装置４４は、ピストン４２が下部配管８ａに固定され、シリンダ４３が浴槽５に固定されている。これにより、ピストン４２の後退時に、噴射開口３１からの温湯の噴射を阻止し、ピストン４２の進出過程で、配管を進出させ足側のシャワーノズルＮから胸側のシャワーノズルＮに掛けて噴射開口３１から順次温湯の噴射を通過させ、ピストン４２の突出端で定常状態に保持するようにしている。
図８において、４６はシリンダ装置４４のピストン４２を突出させる突出用配管、４７はシリンダ装置４４のピストン４２を後退させる後退用配管である。Ｖ3 は突出用配管４６に設けられ突出用配管４６に温湯を送給する電磁バルブ、４８は流量調整弁、Ｖ4 はドレン用の電磁バルブである。また、Ｖ5 は後退用配管４７に設けられ後退用配管４７に温湯を送給する電磁バルブ、Ｖ6 はドレン用の電磁バルブである。
【００２１】
従って、この第一の実施の形態に係るシャワー式入浴装置により入浴を行なうときは、図１及び図３（ａ）に示すように、開閉蓋４を開け、入浴者が自らもしくは介護を受けて、支持体１に横臥する。このとき、足側を浴槽５の一端５ａに向け、胸側を他端５ｂ側に位置させる。それから、図１及び図３（ｂ）に示すように、開閉蓋４を閉める。
この状態で、メインスイッチ（図示せず）をオンにし、給湯ポンプ１１，給水ポンプ１２及び加圧ポンプ１４を駆動する。このとき、シリンダ装置４４用の電磁バルブＶ3 を閉，電磁バルブＶ4 を開，電磁バルブＶ5 を開，電磁バルブＶ6 閉とし、上部ノズル群７及び下部ノズル群８の温度調整運転位置に位置決めし、温度調整運転を行なう。温度調整運転は、上部ノズル群７及び下部ノズル群８が温度調整運転位置に来たことをシリンダ装置４４のセンサ（図示せず）で検知し、かつ開閉蓋４の閉位置検知がＯＫであれば電磁バルブＶ1 を開，電磁バルブＶ7 を閉として行なう。温度調整運転は、加圧ポンプ１４から送給される温湯の温度（温度計の測定温度）が定常になるように行なう。
この場合、図９（ａ）に示すように、加圧ポンプ１４からの温湯が上部ノズル群７及び下部ノズル群８から噴射されるが、各シャワーノズルＮは噴射開口３１から離れた位置にあって、受け部材３０に遮断され、上部ノズル群７の受け部材３０では温湯が受け部材３０に溜ってドレン配管３６から排出され、下部ノズル群８の受け部材３０では温湯が受け部材３０に反射して浴槽５に落ち込み排出されていく。そのため、入浴者には温湯の噴射は行なわれない。この場合、上部ノズル群７において、受け部材３０は受け壁３２及び側壁３３を備えて箱形に形成され、膨出壁３４を有した膨出部３５が設けられ、噴射開口３１がこの膨出部３５の上部に形成されているので、溜った温湯が噴射開口３１から漏れにくく、確実にドレン配管３６から排出できることから、不用意に入浴者に温湯を浴びせて不快にする事態が防止される。
【００２２】
温度計２０で検知した温度が設定温度域に入れば、電磁バルブＶ3 を開，電磁バルブＶ4 を閉，電磁バルブＶ5 を閉，電磁バルブＶ6 を開にし、上部ノズル群７及び下部ノズル群８を入浴運転位置にスライドさせる。このスライド過程において、先ず、図９（ｂ）に示すように、足側のシャワーノズルＮが噴射開口３１に臨み、この噴射開口３１から温湯が噴射され、入浴者の足に浴びせられる。次に、ノズル群のスライドが進むと、図９（ｃ），図９（ｄ），図９（ｅ）に示すように、足側から胸側に掛けて順にシャワーノズルＮが噴射開口３１に臨み温湯が噴射され、足側から胸側に掛けて順に温湯が入浴者に浴びせられる。即ち、足側から胸側に徐々にシャワーの当たる範囲が拡大してゆく。そのため、入浴者にはいきなり全身に温湯が浴びせられるのではなく、足から胸へと徐々に浴びせられることから、入浴者が驚くことなく湯に馴染むことができるようになる。
この場合、各シャワーノズルＮからは常時温湯の噴射が行なわれていることから、加圧ポンプ１４からの温湯の全流量が略一定になっており、そのため、ミキサ１３に至る給湯ポンプ１１及び給水ポンプ１２からの流量が変化することがなくなり、ミキサ１３通過後の温湯の温度の変動が抑制され、入浴者に温度変動による不快感を与えてしまう事態が防止される。即ち、粒子状シャワーにおいては、湯温の変化が通常のバスタブ式の入浴に比較してより敏感に感知されるが、温度変化が抑制されるので、入浴者に精神的，身体的な不快感をほとんど感じさせないことになり、機能の向上が図られる。
【００２３】
それから、図９（ｅ）に示すように、上部ノズル群７及び下部ノズル群８が入浴運転位置に来たことをシリンダ装置４４のセンサ（図示せず）で検知してから電磁バルブＶ2 を開にし、足裏シャワーノズルＮｆから温湯を噴射する。この場合、足裏に温湯が浴びせられるので、指圧効果等により、入浴者に快感が与えられる。
この状態で、例えば、予定時間までタイマー運転（例えば約２０分程度）を行なう。
途中、温度計２０で検知した温度が設定温度域から外れた場合は、電磁バルブＶ2 を閉にし足裏用シャワーノズルＮｆをオフにし、上記とは逆に上部ノズル群７及び下部ノズル群８を温度調整運転位置にスライドさせ、再び設定温度域に入るまで温度調節運転を行う。
温度計２０で検知した温度が再び設定温度域に入れば、再度上記と同様の制御により入浴運転を行なう。
尚、温度調整運転中や入浴運転中に開閉蓋４の閉位置検知が不可となった場合や、いずれの情況においても非常停止スイッチがオンされた場合は、加圧ポンプ１４を停止する事により運転を中止する。再度運転する場合はメインスイッチをオンして再起動する。
【００２４】
そして、予定時間までのタイマ運転が終了した場合、電磁バルブＶ1 ，Ｖ2 を閉にして、シャワーの噴射を停止し、電磁バルブＶ3 を閉，電磁バルブＶ4 を開，電磁バルブＶ5 を開，電磁バルブＶ6 を閉とし、上部ノズル群７及び下部ノズル群８を温度調整運転位置にスライドさせ、上部ノズル群７からの水滴が垂れてくるのを防ぐ。上部ノズル群７及び下部ノズル群８が温度調整位置に来たことをシリンダ装置４４のセンサで検知してから電磁バルブＶ5 を閉じ、加圧ポンプ１４を停止する。
全てが完了したらメインスイッチをオフにする。電磁バルブＶ6 が開になり、シリンダ装置４４の残圧も開放される。
【００２５】
図１０には、本発明の第二の実施の形態に係るシャワー式入浴装置を示している。このシャワー式入浴装置は、上記の第一の実施の形態に係るシャワー式入浴装置と略同様に構成されるが、第一の実施の形態と異なって、移動機構４０を、受け部材３０をシャワー室６の開閉蓋４に対して例えば図示外のレールを介して移動可能に支持し、この受け部材３０をシャワーノズルＮの列設方向に往復動させる駆動部４１を備えて構成している。駆動部４１は、上記と同様に作動するピストン４２及びシリンダ４３を有したシリンダ装置４４で構成され、ピストン４２が受け部材３０に固定されている。
従って、この第二の実施の形態に係るシャワー式入浴装置によっても、上記と同様に常時シャワーノズルＮから温湯が噴射されながらこの噴射がシャワーノズルＮ及び受け部材３０の相対的な移動に従って足側のシャワーノズルＮから胸側のシャワーノズルＮに掛けて行なわれる。作用，効果は第一の実施の形態と同様である。
【００２６】
図１１には、本発明の第三の実施の形態に係るシャワー式入浴装置を示している。このシャワー式入浴装置は、噴射制御手段Ｆにおいて、第一の実施の形態に係るシャワー式入浴装置と同様の受け部材３０を備えているが、第一の実施の形態と異なって、シャワーノズルＮ及び受け部材３０が相対的に移動するものではなく、受け部材３０の各噴射開口３１に夫々設けられ駆動されて各噴射口を開閉するシャッタ５０と、各シャッタ５０を足側のシャワーノズルＮに対応する噴射開口３１から胸側のシャワーノズルＮに対応する噴射開口３１に掛けて順に開くよう駆動する例えばシリンダ装置からなる図示外のシャッタ駆動制御部とを備えて構成されている。
従って、この第二の実施の形態に係るシャワー式入浴装置によっても、シャッタ５０の開閉により、上記と同様に常時シャワーノズルＮから温湯が噴射されながらこの噴射が足側のシャワーノズルＮから胸側のシャワーノズルＮに掛けて行なわれる。作用，効果は第一の実施の形態と同様である。
【００２７】
図１２乃至図１４には、本発明の開発過程で提案された噴射制御手段を参考のために示す。このシャワー式入浴装置において、上記第一乃至第三の実施の形態とは噴射制御手段Ｆの構成が異なっている。上部ノズル群７及び下部ノズル群８に夫々設けられる噴射制御手段Ｆは、上記のような受け部材３０はなく、温湯供給部１０から供給される温湯を制御する制御バルブ６０を備えて構成されている。
制御バルブ６０は、温湯供給部１０から供給される温湯の配管径路に供給口６１が接続され各シャワーノズルＮ（実施例では３つ）の配管に個別に接続される吐出口６２（実施例では３つ）及び温湯を逃がすドレン配管６３に個別に接続される排出口６４（実施例では３つ）を有する本体６５を有するとともに、各シャワーノズルＮに接続された各吐出口６２を足側のシャワーノズルＮに対応する吐出口６２から胸側のシャワーノズルＮに対応する吐出口６２に掛けて順に開きかつドレン配管６３に接続された排出口６４を徐々に閉じる回転式の開閉弁６６を有して構成されている。開閉弁６６の一部には、吐出口６２に連通する長さの異なる孔６７、排出口６４に連通する長さの異なる孔６８が形成されている。
【００２８】
従って、このシャワー式入浴装置によれば、図１４に示すように、先ず、吐出口６２及び排出口６４の全閉状態（図１４（ａ））から開閉弁６６を回転駆動して、排出口６４のみを全開にし（図１４（ｂ））、温度調整運転を行なう。温度調整運転は、加圧ポンプ１４から送給される温湯の温度が定常になるように行なう。
温湯の温度が設定温度域に入れば、更に開閉弁６６を回転駆動して、足側のシャワーノズルＮに対応する吐出口６２を開にするとともに１つの排出口６４を閉にし（図１４（ｃ））、次に、中間のシャワーノズルＮに対応する吐出口６２を開にするとともに次の排出口６４を閉にし（図１４（ｄ））、その後、胸側のシャワーノズルＮに対応する吐出口６２を開にするとともに排出口６４を全閉にする（図１４（ｅ））。これにより、足側から胸側に掛けて順にシャワーノズルＮから温湯が噴射され、足側から胸側に掛けて順に温湯が入浴者に浴びせられる。即ち、足側から胸側に徐々にシャワーの当たる範囲が拡大してゆく。そのため、入浴者にはいきなり全身に温湯が浴びせられるのではなく、足から胸へと徐々に浴びせられることから、入浴者が驚くことなく湯に馴染むことができるようになる。
この場合、吐出口６２及び排出口６４の開閉状態のバランスによって加圧ポンプ１４からの温湯の流量が略一定になっており、そのため、ミキサ１３に至る給湯ポンプ１１及び給水ポンプ１２からの流量が変化することがなくなり、ミキサ１３通過後の温湯の温度の変動が抑制され、入浴者に温度変動による不快感を与えてしまう事態が防止される。
【００２９】
図１５には、本発明の開発過程で提案された別の噴射制御手段を参考のために示す。このシャワー式入浴装置において、上記実施の形態とは噴射制御手段Ｆの構成が異なっている。上部ノズル群７及び下部ノズル群８に夫々設けられる噴射制御手段Ｆは、上記のような受け部材３０はなく、各シャワーノズルＮの配管に個別に配管され供給される温湯を逃がすドレン位置及び温湯をシャワーノズルＮに供給する供給位置の２位置に切換えられる電磁切換弁７０を設け、これらの各電磁切換弁７０を足側のシャワーノズルＮに対応する電磁切換弁７０から胸側のシャワーノズルＮに対応する電磁切換弁７０に掛けて順にドレン位置から供給位置に切換える図示外の制御部を備えて構成されている。
【００３０】
従って、このシャワー式入浴装置によれば、電磁切換弁７０を全てドレン位置にして加圧ポンプ１４を駆動し、温度調整運転を行なう。
温湯の温度が設定温度域に入れば、足側のシャワーノズルＮに対応する電磁切換弁７０から胸側のシャワーノズルＮに対応する電磁切換弁７０に掛けて順に供給位置に切換える。これにより、足側から胸側に掛けて順にシャワーノズルＮから温湯が噴射され、足側から胸側に掛けて順に温湯が入浴者に浴びせられる。即ち、足側から胸側に徐々にシャワーの当たる範囲が拡大していく。そのため、入浴者にはいきなり全身に温湯が浴びせられるのではなく、足から胸へと徐々に浴びせられることから、入浴者が驚くことなく湯に馴染むことができるようになる。
この場合、温湯はドレン位置で排出されるか供給位置でシャワーノズルＮから噴射されるかのいずれかなので、加圧ポンプ１４からの温湯の流量が略一定になっており、そのため、ミキサ１３に至る給湯ポンプ１１及び給水ポンプ１２からの流量が変化することがなくなり、ミキサ１３通過後の温湯の温度の変動が抑制され、入浴者に温度変動による不快感を与えてしまう事態が防止される。
【００３１】
図１６には、本発明の開発過程で提案されたまた別の噴射制御手段を参考のために示す。このシャワー式入浴装置において、上記の実施の形態とは噴射制御手段Ｆの構成が異なっている。上部ノズル群７及び下部ノズル群８に夫々設けられる噴射制御手段Ｆは、上記のような受け部材３０はなく、シャワーノズルＮの列設方向に進退動可能な進退パイプ８０を設け、進退パイプ８０の後退時に各シャワーノズルＮが入浴者の足側から離間し進出時に先端のシャワーノズルＮから順に入浴者の足側から胸側に掛けて順に対峙するように各シャワーノズルＮを進退パイプ８０に列設して構成されている。
従って、このシャワー式入浴装置によれば、常時シャワーノズルＮから温湯が噴射されながら、足側から胸側に徐々にシャワーの当たる範囲が拡大してゆく。そのため、加圧ポンプ１４からの温湯の流量が略一定になっており、そのため、ミキサ１３に至る給湯ポンプ１１及び給水ポンプ１２からの流量が変化することがなくなり、ミキサ１３通過後の温湯の温度の変動が抑制され、入浴者に温度変動による不快感を与えてしまう事態が防止される。
【００３２】
図１７には、本発明の第四の実施の形態に係るシャワー式入浴装置を示している。このシャワー式入浴装置において、上記の実施の形態とは噴射制御手段Ｆの構成が異なっている。上部ノズル群７及び下部ノズル群８に夫々設けられる噴射制御手段Ｆは、複数のシャワーノズルＮを覆い各シャワーノズルＮから噴射される温湯を受けて遮断するとともに足側に対応するシャワーノズルＮから順次開放するように伸縮移動する袋体９０と、袋体９０に設けられ袋体９０に遮断されて溜る温湯を排水するドレン配管９１と、袋体９０を伸縮移動させる例えばシリンダ装置等で構成される図示外の袋体駆動部とを備えて構成されている。
従って、袋体９０が足側に対応するシャワーノズルＮから順次開放するように伸縮移動するので、常時シャワーノズルＮから温湯が噴射されながら足側から胸側に徐々にシャワーの当たる範囲が拡大してゆく。そのため、加圧ポンプ１４からの温湯の流量が略一定になっており、そのため、ミキサ１３に至る給湯ポンプ１１及び給水ポンプ１２からの流量が変化することがなくなり、ミキサ１３通過後の温湯の温度の変動が抑制され、入浴者に温度変動による不快感を与えてしまう事態が防止される。
【００３３】
尚、上記実施の形態では、支持体１はシャワー室６に固定されているが、必ずしもこれに限定されるものではなく、例えば、従来技術で示したように、支持体１をキャスタ２で移動可能にし、シャワー室６をキャスタ２で移動させられた支持体１が前側から収納可能にする開閉蓋４を有し収納された支持体１を覆うよう構成する等、適宜変更して構成して差支えない。
【００３４】
【発明の効果】
以上説明したように、本発明のシャワー式入浴装置によれば、シャワーノズルの温湯の噴射が、温湯供給部から供給される温湯の全流量が一定になるようにかつ入浴者に対しその足側から胸側に掛けて順に行なわれるように制御する噴射制御手段を設けたので、足側から胸側に掛けて順に温湯が入浴者に浴びせられ、そのため、入浴者にはいきなり全身に温湯が浴びせられるのではなく、足から胸へと徐々に浴びせられることから、入浴者が驚くことなく湯に馴染むことができるようになる。
しかも、温湯供給部から供給される温湯の全流量が一定になるように各シャワーノズルから噴射が行なわれるので、温湯の温度の変動を抑制することができ、入浴者に温度変動による不快感を与えてしまう事態を防止することができる。即ち、粒子状シャワーにおいては、湯温の変化が通常のバスタブ式の入浴に比較してより敏感に感知されるが、温度変化を抑制できるので、入浴者に精神的，身体的な不快感をほとんど感じさせないことになり、機能の向上を大幅に図ることができる。
【００３５】
そして、噴射制御手段を、複数のシャワーノズルに対峙し各シャワーノズルから噴射される温湯を受けて遮断する受け部材と、シャワーノズル及び受け部材を列設方向に相対的に移動させる移動機構と、受け部材に各シャワーノズルに対応して設けられシャワーノズル及び受け部材の相対的な移動に従って足側のシャワーノズルから胸側のシャワーノズルに掛けて順次温湯の噴射を通過させる複数の噴射開口とを備えて構成した場合には、各シャワーノズルから常時温湯の噴射を行なわせるので、温湯の全流量を略一定にすることができ、温湯の流量の変化をなくして、温湯の温度の変動を抑制することができ、入浴者に温度変動による不快感を与えてしまう事態を防止することができる。
この構成において、受け部材を受け壁及び受け壁の周囲に立設された側壁を備えて箱形に形成するとともに、各シャワーノズルに対応して受け壁をノズル側に膨出させて形成され側壁と同様に受け壁から立設される膨出壁を有した膨出部を設け、噴射開口を膨出部の上部に形成した場合には、噴射開口がこの膨出部の上部に形成されているので、溜った温湯を噴射開口から漏れにくくすることができ、不用意に入浴者に温湯を浴びせて不快にする事態を防止することができる。
また、受け部材に受け壁に遮断されて溜る温湯を排水するドレン配管を設けた場合には、受け部に溜った温湯を確実に配水できる。
【００３６】
更に、上記の構成において、移動機構を、複数のシャワーノズルからなるノズル群をシャワー室に対して移動可能に支持し、ノズル群をシャワーノズルの列設方向に往復動させる駆動部を備えて構成した場合、あるいは、移動機構を、受け部材をシャワー室に対して移動可能に支持し、受け部材をシャワーノズルの列設方向に往復動させる駆動部を備えて構成した場合に、駆動部を、シャワーノズルから噴射される温湯を供給する配管から分岐された配管に接続され該分岐された配管に流れる温湯で作動するシリンダ装置で構成すれば、温湯を利用して駆動できるので、構造を簡易にすることができる。
【００３７】
また、噴射制御手段を、複数のシャワーノズルに対峙し各シャワーノズルから噴射される温湯を受けて遮断する受け部材と、受け部材に各シャワーノズルに対応して設けられ受け部材への温湯の噴射を通過させる複数の噴射開口と、各噴射開口に夫々設けられ駆動されて各噴射口を開閉するシャッタと、各シャッタを足側のシャワーノズルに対応する噴射開口から胸側のシャワーノズルに対応する噴射開口に掛けて順に開くよう駆動するシャッタ駆動制御部とを備えて構成した場合には、各シャワーノズルから常時温湯の噴射を行なわせるので、温湯の全流量を略一定にすることができ、温湯の流量の変化をなくして、温湯の温度の変動を抑制することができ、入浴者に温度変動による不快感を与えてしまう事態を防止することができる。
【００４１】
更に、噴射制御手段を、複数のシャワーノズルを覆い各シャワーノズルから噴射される温湯を受けて遮断するとともに足側に対応するシャワーノズルから順次開放するように伸縮移動する袋体と、袋体に設けられ袋体に遮断されて溜る温湯を排水するドレン配管と、袋体を伸縮移動させる袋体駆動部とを備えて構成した場合には、各シャワーノズルから常時温湯の噴射を行なわせるので、温湯の全流量を略一定にすることができ、温湯の流量の変化をなくして、温湯の温度の変動を抑制することができ、入浴者に温度変動による不快感を与えてしまう事態を防止することができる。
【００４２】
更にまた、シャワー室の上部に支持体の長手方向に沿って列設され温湯供給部から供給される温湯を支持体に向けて噴射する複数のシャワーノズルからなる上部ノズル群と、シャワー室の下部に上記支持体の長手方向に沿って列設され温湯供給部から供給される温湯を支持体に向けて噴射する複数のシャワーノズルからなる下部ノズル群とを備え、噴射制御手段を上部ノズル群及び下部ノズル群に夫々設けた構成とした場合には、各ノズル群での制御を確実にすることができる。
【図面の簡単な説明】
【図１】  本発明の第一の実施の形態に係るシャワー式入浴装置を示す正面図である。
【図２】  本発明の第一の実施の形態に係るシャワー式入浴装置を示す平面図である。
【図３】  本発明の実施の形態に係るシャワー式入浴装置を示す斜視図である。
【図４】  本発明の第一の実施の形態に係るシャワー式入浴装置の上部ノズル群における噴射制御手段を示す図であり、（ａ）は平面図、（ｂ）は正面断面図である。
【図５】  本発明の第一の実施の形態に係るシャワー式入浴装置の上部ノズル群における噴射制御手段を示す側面断面図である。
【図６】  本発明の第一の実施の形態に係るシャワー式入浴装置の下部ノズル群における噴射制御手段を示す図であり、（ａ）は平面図、（ｂ）は正面断面図である。
【図７】  本発明の第一の実施の形態に係るシャワー式入浴装置の下部ノズル群における噴射制御手段を示す側面断面図である。
【図８】  本発明の第一の実施の形態に係るシャワー式入浴装置の配管状態を示す図である。
【図９】  本発明の第一の実施の形態に係るシャワー式入浴装置の作用を示す工程図である。
【図１０】  本発明の第二の実施の形態に係るシャワー式入浴装置の噴射制御手段を示す図である。
【図１１】  本発明の第三の実施の形態に係るシャワー式入浴装置の噴射制御手段を示す図である。
【図１２】  本発明の開発過程で提案された噴射制御手段を示す斜視図である。
【図１３】  本発明の開発過程で提案された噴射制御手段の要部を示す拡大平面図である。
【図１４】  本発明の開発過程で提案された噴射制御手段の作用を示す工程図である。
【図１５】  本発明の開発過程で提案された別の噴射制御手段を示す図である。
【図１６】  本発明の開発過程で提案されたまた別の噴射制御手段を示す図である。
【図１７】  本発明の第四の実施の形態に係るシャワー式入浴装置の噴射制御手段を示す図である。
【図１８】  従来のシャワー式入浴装置の一例を示す斜視図である。
【図１９】  従来のシャワー式入浴装置の配管状態を示す図である。
【符号の説明】
Ｎ  シャワーノズル
１  支持体
４  開閉蓋
５  浴槽
６  シャワー室
７  上部ノズル群
７ａ  上部配管
８  下部ノズル群
８ａ  下部配管
１０  温湯供給部
１１  給湯ポンプ
１２  給水ポンプ
１３  ミキサ
１４  加圧ポンプ
Ｖ1 〜Ｖ7   電磁バルブ
Ｎｆ  足裏シャワーノズル
Ｆ  噴射制御手段
３０  受け部材
３１  噴射開口
３２  受け壁
３３  側壁
３５  膨出部
３７  凹所
４０  移動機構
４１  駆動部
４４  シリンダ装置
４６  突出用配管
４７  後退用配管
５０  シャッタ
６０  制御バルブ
６１  供給口
６２  吐出口
６３  ドレン配管
６４  排出口
６５  本体
６６  開閉弁
６７  孔
６８  孔
７０  電磁切換弁
８０  進退パイプ
９０  袋体
９１  ドレン配管
【図１】
0003977628.tif 000002
【図２】
0003977628.tif 000003
【図３】
0003977628.tif 000004
【図４】
0003977628.tif 000005
【図５】
0003977628.tif 000006
【図６】
0003977628.tif 000007
【図７】
0003977628.tif 000008
【図８】
0003977628.tif 000009
【図９】
0003977628.tif 000010
【図１０】
0003977628.tif 000011
【図１１】
0003977628.tif 000012
【図１２】
0003977628.tif 000013
【図１３】
0003977628.tif 000014
【図１４】
0003977628.tif 000015
【図１５】
0003977628.tif 000016
【図１６】
0003977628.tif 000017
【図１７】
0003977628.tif 000018
【図１８】
0003977628.tif 000019
【図１９】
0003977628.tif 000020